(57)【要約】  【課題】  本発明は平板状の形状を有し、複数の工具を表出した状態で使用できる多機能手工具において、より多くの機能を有するようにすることを課題とする。  【解決手段】  多機能手工具として、厚みのある板状体である本体と、前記本体の縁部に互いに作業時に干渉しないように2以上設けられる、先端に機能部分を有する棒状体の工具である突出工具と、前記本体の前記突出工具の間に位置する縁部から内側に設けられる、凸状体に外側から嵌合する工具である陥没工具とを設ける。【選択図】  図１
2006130633.tif 000002
【特許請求の範囲】
【請求項１】
厚みのある板状体である本体と、
前記本体の縁部に互いに作業時に干渉しないように2以上設けられる、先端に機能部分を有する棒状体の工具である突出工具と、
前記本体の前記突出工具の間に位置する縁部から内側に設けられる、凸状体に外側から嵌合する工具である陥没工具と
を有する多機能手工具。
【請求項２】
前記突出工具は放射状に配列される請求項１に記載の多機能手工具。
【請求項３】
前記本体は、円もしくは正多角形である請求項１又は２に記載の多機能手工具
【請求項４】
前記本体の表面若しくは裏面のいずれかに、さらに突出工具が設けられる請求項１から３のいずれか１項に記載の多機能手工具。
【発明の詳細な説明】
【技術分野】
【０００１】
本発明は複数の工具を一体に包含した手工具に関する。
【背景技術】
【０００２】
従来、一つで複数の機能を有する手工具が種々提案されている。中でも平板状でそれぞれの工具の交換や出し入れを要しないものは持ち運びの利便性が高く、複数の作業を同時に行うような場合に効率がよい。例えば、図３（ａ）に示すものは、本体に対してドライバーやレンチが円板状の本体の縁部に略放射状に配列され、図３（ｂ）に示すものは、長尺板状の本体の両端に形成されるレンチ部分の周りに六角レンチやマイナスドライバーが配置されている。
【発明の開示】
【発明が解決しようとする課題】
【０００３】
このような多機能手工具は、できるだけ多くの機能を有することに価値の一端があるが、上記に示す多機能手工具は無駄な部分が多い。つまり、図３（ａ）に示す手工具では、本体部分の円形の部分が機能を有さず無駄になっており、図３（ｂ）に示す手工具では、真ん中の棒状部分がトルクをかけるためのみに設けられ、他の機能を設けるという観点からは無断になっている。
そこで、このような問題に鑑みて、本発明は平板状の形状を有し、複数の工具を表出した状態で使用できる多機能手工具において、より多くの機能を有するようにすることを課題とする。
【課題を解決するための手段】
【０００４】
上記課題を解決するために、本発明は次のような構成を有する。
請求項１に記載の発明は、厚みのある板状体である本体と、前記本体の縁部に互いに作業時に干渉しないように2以上設けられる、先端に機能部分を有する棒状体の工具である突出工具と、前記本体の前記突出工具の間に位置する縁部から内側に設けられる、凸状体に外側から嵌合する工具である陥没工具とを有する多機能手工具である。なお、ここで、「厚みのある」とは少なくとも、設けようとする突出工具が固定できる程度の厚みがあることを意味する。また、突出工具としては、ドライバー、六角レンチ、星型レンチ、キリ、ナイフ、ヤスリ等が例示される。陥没工具は、主としてスパナが例示される。
請求項２に記載の発明は、前記多機能手工具において、前記突出工具が放射状に配列されるものである。
請求項３に記載の発明は、前記多機能手工具において、前記本体を円もしくは正多角形としたものである。
請求項４に記載の発明は、前記多機能手工具において、前記本体の表面若しくは裏面のいずれかにさらに突出工具が設けられるものである。
【発明の効果】
【０００５】
請求項１に記載の発明は、板状体の本体の縁部に突出工具のみならず、縁部から内側に設けられる陥没工具が形成されるので、板状体の本体の内側部分にも工具としての機能持たせることができ、それだけ全体として多く機能を持たせることが可能となる。
請求項２に記載の発明は、前記突出工具を放射上に配列することで、各突出工具の突出する角度が変わるので、突出工具同士が互いに干渉しあうことを効果的に排除することができる。
請求項３に記載の発明は、前記本体を円もしくは正多角形とすることで、外縁周の長さに対する内部の面積を大きくすることができるので、陥没工具を設けることができる部分を効率よく得ることができる。
請求項４に記載の発明は、前記本体の表面若しくは裏面のいずれかに突出工具を設けることで、さらに、機能を増やすことができるとともに、一面のみに設けることで陥没工具による作業の支障になる状況を減らすことができる。
【発明を実施するための最良の形態】
【０００６】
以下、本発明の実施形態について、図面を参照しながら説明する。
図１に本発明の実施形態に係る多機能手工具Ｘの平面図を示し、図２に本発明の実施形態に係る多機能手工具Ｘの側面図を示す。多機能手工具Ｘは工具鋼を鋳造成型したものであり、厚さ約７ｍｍ、直径約５０ｍｍの円板状の本体１０に突出工具２１〜２７、陥没工具３１〜３４が形成されている。突出工具は先端に機能部分を有する棒状体の工具であり、突出工具２１〜２４、２７はそれぞれ大きさの異なる六角レンチを形成し、突出工具２５はマイナスドライバー、突出工具２６はプラスドライバーを形成している。突出工具２１〜２６は本体１０の縁部に中心から放射状に設けられ、突出工具２７は本体１０の表面の中心に設けられている。陥没工具３１〜３４はボルトヘッドやナットのような凸状体に外側から嵌合する工具であり、本体１０のそれぞれの突出工具の間に位置する縁部から内側に設けられている。ここでは、陥没工具３１〜３４はそれぞれ大きさの異なるスパナを形成している。さらに、本体１０には表面から裏面を貫通する端面に面取り加工を施された穴１１が形成されている。この穴１１に紐などを通することで収納したり携帯したりする際の便宜が図られる。また、これにより、アクセサリーとして使用することもできる。
【０００７】
以上のような構成を有する多機能手工具Ｘは、ネジやボルトなどの締結部品を締めたり緩めたりする手工具が多数集積しているので、装置などの組立てや分解に際して複数の工具を交換する必要がなく、効率よく作業を行うことができる。具体的には、六角穴付きボルト、六角穴付きボタンヘッドボルト、六角穴付きセットボルトなどに対しては、突出工具２１〜２４及び２７を用い、六角ボルトや六角ナットに対しては、陥没工具３１〜３５を用い、プラスネジに対しては突出工具２６を用い、マイナスネジに対しては突出工具２５を用いて、姿勢を変えることなく作業を行うことができる。なお、突出工具２７は表面のみに形成され、裏面は平らなので、スパナである陥没工具３１〜３４で平板上に固定されるボルトヘッドやナットを締め付け若しくは緩める際には、平らな裏面を平板上に沿わせるようにして作業を行うことができる。また、ここに挙げた突出工具および陥没工具は例示であり、目的に応じて種々の工具を設けることが可能である。
【図面の簡単な説明】
【０００８】
【図１】実施形態に係る多機能手工具を示す平面図である。
【図２】実施形態に係る多機能手工具を示す側面図である。
【図３】（ａ）（ｂ）ともに従来の多機能手工具の例を示す平面図である。
【符号の説明】
【０００９】
X    多機能手工具
１０  本体
２１〜２７  突出工具
３１〜３５  陥没工具
【図１】
2006130633.tif 000003
【図２】
2006130633.tif 000004
【図３】
2006130633.tif 000005